(57)【要約】【課題】  ＪＰＥＧヘッダを受信した時点で、ＪＰＥＧヘッダに含まれているＸパラメータとＹパラメータで送信総画素数は認識できるが、ＪＰＥＧ符号化時の圧縮率でも、１枚の情報量は大きく変る。このため、デジタルスチルカメラで撮影した情報量は、４００万画素の情報量より３００万画素の情報量の方が大きくなってしまうということもある。【解決手段】  色空間ｓＹＣＣのＪＰＥＧ情報を通信可能なファクシミリ装置において、前手順にて、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、１パーシャルページを受信した時点で、実際に１パーシャルページで受信した情報量、及び、実際に１パーシャルページで受信した画素数から、受信動作を続行するか否かを決定する。【選択図】  図１
2006066956.tif 000002
【特許請求の範囲】
【請求項１】
色空間ｓＹＣＣのＪＰＥＧ情報を通信可能なファクシミリ装置において、前手順にて、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、１パーシャルページを受信した時点で、実際に１パーシャルページで受信した情報量、及び、実際に１パーシャルページで受信した画素数から、受信動作を続行するか否かを決定する事を特徴とするファクシミリ装置。
【請求項２】
請求項１のファクシミリ装置において、１パーシャルページを受信した時点で、実際に１パーシャルページで受信した情報量、及び、実際に１パーシャルページで受信した画素数から、ＪＰＥＧ符号化の圧縮率を推定する事を特徴とするファクシミリ装置。
【請求項３】
請求項１、２のファクシミリ装置において、ＪＰＥＧヘッダに含まれているＸパラメータによる主走査方向の画素数、及び、Ｙパラメータによる副走査方向の画素数により求めた送信総画素数と、１パーシャルページを受信した時点で推定したＪＰＥＧ符号化の圧縮率から受信動作を続行するか否かを決定する事を特徴とするファクシミリ装置。
【請求項４】
色空間ｓＹＣＣのＪＰＥＧ情報を通信可能なファクシミリ通信方式において、前手順にて、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、１パーシャルページを受信した時点で、実際に１パーシャルページで受信した情報量、及び、実際に１パーシャルページで受信した画素数から、受信動作を続行するか否かを決定する事を特徴とするファクシミリ通信方式。
【請求項５】
請求項４のファクシミリ通信方式において、１パーシャルページを受信した時点で、実際に１パーシャルページで受信した情報量、及び、実際に１パーシャルページで受信した画素数から、ＪＰＥＧ符号化の圧縮率を推定する事を特徴とするファクシミリ通信方式。
【請求項６】
請求項４、５のファクシミリ通信方式において、ＪＰＥＧヘッダに含まれているＸパラメータによる主走査方向の画素数、及び、Ｙパラメータによる副走査方向の画素数により求めた送信総画素数と、１パーシャルページを受信した時点で推定したＪＰＥＧ符号化の圧縮率から受信動作を続行するか否かを決定する事を特徴とするファクシミリ通信方式。
【発明の詳細な説明】
【技術分野】
【０００１】
本発明は、ファクシミリ装置、特に、ＪＰＥＧ情報を通信可能なファクシミリ装置に関するものである。
【背景技術】
【０００２】
従来のカラー情報を通信可能なファクシミリ装置は、ＩＴＵ−Ｔ勧告Ｔ．３０、Ｔ．４、Ｔ．８１、Ｔ．４２で、決まっていて、色空間Ｌａｂでのカラー通信であった。最近は、デジタルカメラが普及して、デジタルカメラで撮影した情報をそのままファクシミリプロトコルを使用して送信したいというニーズが高まってきた。これに伴い、デジタルカメラで使用している色空間はＬａｂでなく、色空間ｓＹＣＣでのカラー通信である。このため、色空間ｓＹＣＣでのＪＰＥＧ符号化情報をそのまま送信するプロトコルが検討中である（例えば、特許文献１）。
【特許文献１】特開２００４−８８６６８号公報
【発明の開示】
【発明が解決しようとする課題】
【０００３】
一般に、色空間ｓＹＣＣのＪＰＥＧフルカラー通信を考えると、カラー原稿情報の送信で無く、デジタルカメラで撮影しコンパクトフラッシュ（登録商標）カード等に格納されているファイル情報送信のケースが多い。この場合、デジタルスチルカメラの画素数は、２００万画素、３００万画素、４００万画素と増加しているので、送信機側で、デジタルスチルカメラの情報を送信時、受信機側で、画素数が多く、その結果、受信する情報料が多くなり、受信不可となってしまうという欠点があった。しかしながら、ＪＰＥＧヘッダを受信した時点で、ＪＰＥＧヘッダに含まれているＸパラメータとＹパラメータで送信総画素数は認識できるが、ＪＰＥＧ符号化時の圧縮率でも、１枚の情報量は大きく変る。このため、デジタルスチルカメラで撮影した情報量は、４００万画素の情報量より３００万画素の情報量の方が大きくなってしまうということもある。
【課題を解決するための手段】
【０００４】
第１の本発明によれば、色空間ｓＹＣＣのＪＰＥＧ情報を通信可能なファクシミリ装置において、前手順にて、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、１パーシャルページを受信した時点で、実際に１パーシャルページで受信した情報量、及び、実際に１パーシャルページで受信した画素数から、受信動作を続行するか否かを決定する事が可能になった。第２の本発明によれば、第１の本発明のファクシミリ装置において、１パーシャルページを受信した時点で、実際に１パーシャルページで受信した情報量、及び、実際に１パーシャルページで受信した画素数から、ＪＰＥＧ符号化の圧縮率を推定する事が可能になった。第３の本発明によれば、第１、２の本発明のファクシミリ装置において、ＪＰＥＧヘッダに含まれているＸパラメータによる主走査方向の画素数、及び、Ｙパラメータによる副走査方向の画素数により求めた送信総画素数と、１パーシャルページを受信した時点で推定したＪＰＥＧ符号化の圧縮率から受信動作を続行するか否かを決定する事が可能になった。
【０００５】
これらにより、デジタルスチルカメラで撮影した色空間ｓＹＣＣのカラー情報を受信した時、ＪＰＥＧヘッダの受信により、総画素数を認識に、そして、１パーシャルページの情報を受信した時、ＪＰＥＧ符号化の圧縮率を認識して、これから受信する情報量を把握して、自機の使用可能なメモリ容量と比較するなどして、受信の継続を適切に判断して行く事を可能にした。そして、ユーザに取っては、１ページの情報を受信できないのに受信を継続するという無駄な受信が無くなりとても使い易くなった。
【０００６】
第４から第６の本発明は、第１から第３の本発明をファクシミリ装置からファクシミリ通信方式にしたものである。
【発明の効果】
【０００７】
第１、２、３の本発明によれば、デジタルスチルカメラで撮影した色空間ｓＹＣＣのカラー情報を受信した時、ＪＰＥＧヘッダの受信により、総画素数を認識に、そして、１パーシャルページの情報を受信した時、ＪＰＥＧ符号化の圧縮率を認識して、これから受信する情報量を把握して、自機の使用可能なメモリ容量と比較するなどして、受信の継続を適切に判断して行く事を可能にした。そして、ユーザに取っては、１ページの情報を受信できないのに受信を継続するという無駄な受信が無くなりとても使い易くなった。
【０００８】
第４から第６の本発明は、第１から第３の本発明をファクシミリ装置からファクシミリ通信方式にしたものである。
【発明を実施するための最良の形態】
【０００９】
（実施例１）
以下、図面に示す実施の形態に基づいて、本発明を詳細に説明する。
【００１０】
図１には、本発明の実施の形態であるファクシミリ装置がブロック図として図示されている。
【００１１】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１２】
４は、電話機である。
【００１３】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１４】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１５】
１０は、発呼回路であり、バス２６からの信号により、電話番号情報を入力し、信号線１０ａにＤＴＭＦの選択信号を出力する。
【００１６】
１２は、加算回路であり、信号線８ａの情報と信号線１０ａの情報を入力し、加算した結果を信号線１２ａに出力する。
【００１７】
１４は、カラー読み取り可能な読取回路であり、読み取りデータをバス２６に出力する。
【００１８】
１６は、カラー記録可能な記録回路であり、バス２６に出力されている情報を順次１ライン毎に記録する。
【００１９】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。
【００２０】
２０は、操作部であり、ワンタッチダイヤル、短縮ダイヤル、テンキー、＊キー、＃キー、スタートキー、ストップキー、セットキー、ファイル情報の送信を選択するキー、カラー情報送信選択キー、その他のファンクションキーがあり、押下されたキー情報はバス２６に出力される。
【００２１】
操作部には、表示部があり、バス２６に出力されている情報を入力し、表示する。
【００２２】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２３】
２６は、バスである。
【００２４】
２８は、カードインターフェイスであり、３０のカード（例えば、デジタルカメラで撮影した情報が記憶されているコンパクトフラッシュ（登録商標）カード）がセットされる。
【００２５】
３２．ＵＳＢインターフェイスであり、３４には、ＰＣ（パソコン）が接続される。
【００２６】
図２には、本発明により、カラー関連のビット情報、さらに、新規にＩＴＵ−Ｔ勧告Ｔ．３０に追加する情報が図示されている。
【００２７】
ＤＩＳ／ＤＴＣ信号のＦＩＦの６８ビットにより、色空間ＬａｂでのＪＰＥＧ符号化での受信機能の有無を通知し、ＤＣＳ信号のＦＩＦの６８ビットにより、色空間ＬａｂでのＪＰＥＧ符号化での送信を指定をする。
【００２８】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００２９】
ＤＩＳ／ＤＴＣ信号のＦＩＦのＸビットにより、色空間ｓＹＣＣでのＪＰＥＧ符号化受信機能の有無を通知し、ＤＣＳ信号のＦＩＦのＸビットにより、色空間ｓＹＣＣでのＪＰＥＧ符号化送信を指定をする。
【００３０】
２４は、色空間ｓＹＣＣのＪＰＥＧ情報を通信可能なファクシミリ装置において、前手順にて、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、１パーシャルページを受信した時点で、実際に１パーシャルページで受信した情報量、及び、実際に１パーシャルページで受信した画素数から、受信動作を続行するか否かを決定する。
【００３１】
以上の制御プログラムが格納されている。
【００３２】
図３、４、５、６には、図１の制御の流れ図が図示されている。
【００３３】
図３において、Ｓ０は、始めを表している。
【００３４】
Ｓ２は、バス２６を介して、メモリ１８をイニシャライズする事を表している。
【００３５】
Ｓ４は、バス２６を介して、操作部の表示部をクリアする事を表している。
【００３６】
Ｓ６では、バス２６を介してＮＣＵ２のCMLをオフする。
【００３７】
Ｓ８では、ファクシミリ受信が選択されたか否かが判断されＹＥＳであるとＳ１２に進み、ＮＯであるとＳ１０に進み、その他の処理をする。
【００３８】
Ｓ１２では、バス２６を介してＮＣＵ２のCMLをオンする。
【００３９】
Ｓ１４は前手順を表している。ここで、ＤＩＳ信号のＦＩＦの６８、６９、Ｘビットは１とする。
【００４０】
Ｓ１６では、ＤＣＳ信号のＦＩＦのＸビットは１であるか否かが判断され、ＹＥＳであるとＳ１８に進み、ＮＯであるとＳ５０に進む。
【００４１】
Ｓ１８は、色空間ｓＹＣＣのＪＰＥＧ符号化データのヘッダを受信する事を表している。
【００４２】
Ｓ２０では、ＪＰＥＧ符号化のヘッダの主走査方向の画素数を表すＸパラメータと副走査方向のライン数を表すＹパラメータにともに有効情報が格納されているか否かが判断され、ＹＥＳであるとＳ２４に進み、ＮＯであるとＳ２２に進む。
【００４３】
Ｓ２２では、ＹパラメータにＸパラメータを１．７倍した値を格納する事を表している。一般的に、デジタルスチルカメラの情報はランドスケープが多いのでＹパラメータにこの値を格納する。
【００４４】
Ｓ２４は、色空間ｓＹＣＣのＪＰＥＧ符号化ファイル情報をメモリ受信する事を表している。
【００４５】
Ｓ２６では、１パーシャルページの受信が終了した否かが判断されＹＥＳであるとＳ２８に進み、ＮＯであるとＳ２４に進む。
【００４６】
Ｓ２８は、中間手順を表している。
【００４７】
Ｓ３０では、次ページの受信があるか否かが判断されＹＥＳであるとＳ３２に進み、ＮＯであるとＳ３８に進む。
【００４８】
Ｓ３２では、今、受信した情報は、１パーシャルページであるか否かが判断されＹＥＳであるとＳ３４に進み、ＮＯであるとＳ１８に進む。
【００４９】
Ｓ３４では、（Ｘパラメータの画素数）Ｘ（Ｙパラメータの画素数）を（１パーシャルページで受信した画素数）で割り、この値をＡとする。
【００５０】
Ｓ３６では、Ａに６４Ｋｂｙｔｅ（１パーシャルページの情報量）をかけて、１．２倍した値が、ＣＦ（コンパクトフラッシュ（登録商標））カードの使用可能なメモリ容量より小さいか否かが判断されＹＥＳであるとＳ４０に進み、ＮＯであるとＳ５８に進む。
【００５１】
Ｓ３４、Ｓ３６は重要なステップであり、デジタルスチルカメラで撮影した色空間ｓＹＣＣのカラー情報を受信した時、ＪＰＥＧヘッダの受信により、総画素数を認識に、そして、１パーシャルページの情報を受信した時、ＪＰＥＧ符号化の圧縮率を認識して、これから受信する情報量を把握して、自機の使用可能なメモリ容量と比較して、受信の継続を適切に判断して行く事を可能にした。そして、ユーザに取っては、１ページの情報を受信できないのに受信を継続するという無駄な受信が無くなりとても使い易くなった。
【００５２】
Ｓ３８は、後手順を表している。
【００５３】
Ｓ４０は、色空間ｓＹＣＣのＪＰＥＧ符号化ファイル情報の受信／ＣＦカードへの格納を表している。ここで、１ページの先頭情報からＣＦカードには格納する。
【００５４】
Ｓ４２では、１パーシャルページの受信が終了した否かが判断されＹＥＳであるとＳ４４に進み、ＮＯであるとＳ４０に進む。
【００５５】
Ｓ４４は、中間手順を表している。
【００５６】
Ｓ４６では、次ページの受信があるか否かが判断されＹＥＳであるとＳ４８に進み、ＮＯであるとＳ３８に進む。
【００５７】
Ｓ４８では、今、受信した情報は、１パーシャルページであるか否かが判断されＹＥＳであるとＳ４０に進み、ＮＯであるとＳ１８に進む。
【００５８】
Ｓ５０では、ＤＣＳ信号のＦＩＦの６８、６９ビットは１であるか否かが判断され、ＹＥＳであるとＳ５２に進み、ＮＯであるとＳ５４に進む。
【００５９】
Ｓ５２は、色空間ＬａｂのフルカラーＪＰＥＧ符号化情報の受信、プリントを表している。
【００６０】
Ｓ５４は、モノクロ情報の受信、プリントを表している。
【００６１】
Ｓ５６は、後手順を表している。
【００６２】
Ｓ５８は、色空間ｓＹＣＣのフルカラーＪＰＥＧ符号化情報の受信、プリントを表している。
【００６３】
Ｓ６０は、後手順を表している。
【００６４】
（実施例２）
実施例１において、１パーシャルページを受信した時点で、実際に１パーシャルページで受信した情報量、及び、実際に１パーシャルページで受信した画素数から、ＪＰＥＧ符号化の圧縮率を推定しても良い。この場合、ＪＰＥＧヘッダに含まれているＸパラメータによる主走査方向の画素数、及び、Ｙパラメータによる副走査方向の画素数により求めた送信総画素数と、１パーシャルページを受信した時点で推定したＪＰＥＧ符号化の圧縮率、さらには、ＣＦカードに受信可能なメモリ容量から受信動作を続行するか否かを決定する。
【００６５】
図７には、図３、４、５、６の制御の流れ図に対して異なる部分の制御の流れ図が図示されている。
【００６６】
図７において、Ｓ７０はＳ３２のＹＥＳを表している。
【００６７】
Ｓ３４では、６４Ｋｂｙｔｅ（１パーシャルページの情報量）内にある画素数を求めて、３色のため３Ｘ８（８はバイトになるため数式上は割愛）をかけて、源情報の１パーシャルページ分の情報量を求めて、これを６４Ｋｂｙｔｅ（１パーシャルページの情報量）で割り、最初に受信した１パーシャールパージ分の圧縮率を求めて、これをＣとする。
【００６８】
Ｓ３６では、３Ｘ（Ｘパラメータの画素数）Ｘ（Ｙパラメータの画素数）から源情報の総情報量を求めて、これを、圧縮率Ｃで割り、さらに、１．２倍した値が、ＣＦ（コンパクトフラッシュ（登録商標））カードの使用可能なメモリ容量より小さいか否かが判断されＹＥＳであるとＳ７６（Ｓ４０）に進み、ＮＯであるとＳ７８（Ｓ５８）に進む。
【図面の簡単な説明】
【００６９】
【図１】本発明によるファクシミリ装置の実施例のブロック図。
【図２】本発明によるＤＩＳ／ＤＴＣ、ＤＣＳ信号のＦＩＦ情報の具体例。
【図３】本発明による制御の流れ図。
【図４】本発明による制御の流れ図。
【図５】本発明による制御の流れ図。
【図６】本発明による制御の流れ図。
【図７】本発明による制御の流れ図。
【符号の説明】
【００７０】
２  NCU
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュ（登録商標）カード
【図１】
2006066956.tif 000003
【図２】
2006066956.tif 000004
【図３】
2006066956.tif 000005
【図４】
2006066956.tif 000006
【図５】
2006066956.tif 000007
【図６】
2006066956.tif 000008
【図７】
2006066956.tif 000009